(57)【要約】【課題】様々な形態で撮影を行うことができユーザの利便性の向上を図る上で有利な撮像装置を提供する。【解決手段】撮像装置１０から撮像装置６０に無線信号Ｓによって映像信号が送信されており、撮像装置６０のディスプレイ７４の表示画面には、撮像装置１０で撮像されている画像１０Ａ（第２の画像に相当）と、撮像装置６０が撮像している画像６０Ａ（第１の画像に相当）の双方が同時に表示されている。撮影者は、手に保持している撮像装置６０のディスプレイ７４に大きく表示されている画像１０Ａを視認しつつ、タッチパネル７８のスタートボタン１０２とストップボタン１０４を操作することで撮像装置１０の撮影動作を遠隔制御することができる。【選択図】        図１
2007081537.tif 000002
【特許請求の範囲】
【請求項１】
被写体像を撮像して映像信号を生成する撮像手段と、
前記映像信号に基づいて画像を表示するディスプレイと、
前記映像信号の記録媒体に対する記録および／または前記映像信号の前記記録媒体からの再生を行う記録再生手段と、
前記撮像手段、前記ディスプレイ、前記記録再生手段の制御を行う制御手段とを備える撮像装置であって、
前記撮像装置とは別に設けられた撮像装置に実行させるべき動作を指令する制御コマンドを生成する制御コマンド生成手段と、
前記撮像装置とは別に設けられた撮像装置に前記制御コマンドを送信するとともに、前記撮像装置とは別に設けられた撮像装置から送信される映像信号を受信する通信手段とが設けられ、
前記制御手段は、前記撮像手段から供給される前記映像信号に基づいた第１の画像と、前記通信手段を介して前記別に設けられた撮像装置から受信した前記映像信号に基づいた第２の画像とを選択的にまたは同時に前記ディスプレイに表示する、
ことを特徴とする撮像装置。
【請求項２】
前記制御手段は前記第１の画像と前記第２の画像を前記ディスプレイに同時に表示させるとともに、前記第２の画像を前記第１の画像よりも大きな表示面積で表示させる第１の表示状態と、前記第１の画像を前記第２の画像よりも大きな表示面積で表示させる第２の表示状態とを切り換えることを特徴とする請求項１記載の撮像装置。
【請求項３】
前記制御手段は前記第１の画像と前記第２の画像を同じ大きさで前記ディスプレイに同時に表示させることを特徴とする請求項１記載の撮像装置。
【請求項４】
前記ディスプレイにはタッチパネルが設けられ、前記制御手段は前記タッチパネルに対する操作に基づいて動作するように構成され、前記制御手段による前記第１の表示状態から前記第２の表示状態への切り換えは、前記タッチパネルのうち前記第１の画面が表示されている箇所が接触されることでなされ、前記制御手段による前記第２の表示状態から前記第１の表示状態への切り換えは、前記タッチパネルのうち前記第２の画面が表示されている箇所が接触されることでなされることを特徴とする請求項２記載の撮像装置。
【請求項５】
前記撮像装置には操作手段が設けられ、前記制御コマンド生成手段による前記制御コマンドの生成は前記操作手段が操作されることでなされることを特徴とする請求項１記載の撮像装置。
【請求項６】
前記ディスプレイにはタッチパネルが設けられ、前記制御コマンド生成手段による前記制御コマンドの生成は前記タッチパネルが操作されることでなされることを特徴とする請求項１記載の撮像装置。
【請求項７】
前記通信手段は無線信号によって前記映像信号および制御コマンドの送受信を行うものであることを特徴とする請求項１記載の撮像装置。
【請求項８】
前記通信手段はケーブルまたはコネクタを介して前記映像信号および制御コマンドの送受信を行うものであることを特徴とする請求項１記載の撮像装置。
【請求項９】
前記撮像装置はビデオカメラおよびデジタルスチルカメラの一方であり、前記別に設けられた撮像装置はビデオカメラおよびデジタルスチルカメラの他方であることを特徴とする請求項１記載の撮像装置。
【請求項１０】
前記撮像装置および前記別に設けられた撮像装置の双方はビデオカメラまたはデジタルスチルカメラかの何れかであることを特徴とする請求項１記載の撮像装置。
【請求項１１】
前記別に設けられた撮像装置はビデオカメラであり、前記制御コマンドは前記別に設けられた撮像装置による動画の撮影開始あるいは撮影停止を指令するものであることを特徴とする請求項１記載の撮像装置。
【請求項１２】
前記撮像装置はデジタルスチルカメラであり、前記制御コマンドは前記別に設けられた撮像装置による静止画の撮影を指令するものであることを特徴とする請求項１記載の撮像装置。
【発明の詳細な説明】
【技術分野】
【０００１】
本発明は撮像装置に関する。
【背景技術】
【０００２】
ビデオカメラなどの撮像装置には、撮像素子で撮像した画像を表示するディスプレイが設けられている。
ユーザはディスプレイに表示された画像を見ながら被写体の位置や構図を確認し、撮影ボタンを操作することによって撮像素子で撮像された映像信号（画像データ）が磁気テープやメモリカードなどの記録媒体に記録される。
ところで、撮影環境によっては、撮像装置をユーザから離間した箇所に位置させた状態で撮影を行いたい場合がある。
そのため、撮像装置本体とディスプレイを分離可能に構成するとともに、ディスプレイにリモートコントロール装置を内蔵し、撮影中の映像信号を撮像装置本体からディスプレイに無線信号によって送信してディスプレイに画像を表示させ、かつ、ディスプレイのリモートコントロール装置をユーザが操作することで撮像装置を離れた箇所から遠隔操作できるようにした技術が提案されている（特許文献１参照）。
【０００３】
【特許文献１】特開平８−２０５０１６号公報
【発明の開示】
【発明が解決しようとする課題】
【０００４】
上記従来技術では、ディスプレイに表示されている画像を視認しつつ遠隔制御することに留まるものであり、ユーザが撮像装置本体から離れた箇所にいる利点を活用して様々な形態で撮影を行うといったことには到っていない。
本発明はこのような事情に鑑みなされたもので、その目的は、様々な形態で撮影を行うことができユーザの利便性の向上を図る上で有利な撮像装置を提供することにある。
【課題を解決するための手段】
【０００５】
上述の目的を達成するため、本発明は、被写体像を撮像して映像信号を生成する撮像手段と、前記映像信号に基づいて画像を表示するディスプレイと、前記映像信号の記録媒体に対する記録および／または前記映像信号の前記記録媒体からの再生を行う記録再生手段と、前記撮像手段、前記ディスプレイ、前記記録再生手段の制御を行う制御手段とを備える撮像装置であって、前記撮像装置とは別に設けられた撮像装置に実行させるべき動作を指令する制御コマンドを生成する制御コマンド生成手段と、前記撮像装置とは別に設けられた撮像装置に前記制御コマンドを送信するとともに、前記撮像装置とは別に設けられた撮像装置から送信される映像信号を受信する通信手段とが設けられ、前記制御手段は、前記撮像手段から供給される前記映像信号に基づいた第１の画像と、前記通信手段を介して前記別に設けられた撮像装置から受信した前記映像信号に基づいた第２の画像とを選択的にまたは同時に前記ディスプレイに表示することを特徴とする。
【発明の効果】
【０００６】
本発明によれば、２つの撮像装置のうち一方の撮像装置のディスプレイによって２つの撮像装置で撮像している画像の双方を視認することができるので、撮影者は、他方の撮像装置の遠隔制御を行いつつ、一方の撮像装置による撮影をも行うことができ、互いに離れた箇所に設置された２台の撮像装置を有効に活用することができ、利便性を向上させる上で有利となる。
【発明を実施するための最良の形態】
【０００７】
（第１の実施の形態）
次に本発明の実施の形態について図面を参照して説明する。
図１は第１の実施の形態の撮像装置１０、６０の構成を示す斜視図、図２は撮像装置５０を後方から見た斜視図、図３は撮像装置１０、６０の構成を示すブロック図である。
【０００８】
図１に示すように、本実施の形態の撮像装置１０はビデオカメラであり、撮像装置６０はデジタルスチルカメラである。
撮像装置１０は、外装を構成するケース１２を有している。なお、本明細書において左右は、撮像装置１０、６０を前方から見た状態でいうものとし、また、光学系の光軸方向で被写体側を前方といい、撮像素子側を後方という。
ケース１２の前面上部には、撮影光学系１４が組み込まれた鏡筒１６が前方に臨んで設けられている。
ケース１２の内部には、撮影光学系１４によって導かれた被写体像を撮像する撮像素子１８（図３参照）などが収容されている。
ケース１２の後面上部には撮像素子１８によって撮像された被写体像を視認するための電子式ファインダー２０が設けられている。電子式ファインダー２０は、ケース１２内部に設けられた例えば液晶表示装置からなるディスプレイ２１（図３参照）を有し、そのディスプレイ２１に表示される画像を視認するように構成されている。
ケース１２の右側面には撮像素子１８によって撮像された被写体像などを表示するための例えば液晶表示装置からなるディスプレイ２２が開閉可能に設けられている。
ケース１２の後面、左側面には、撮影スタートストップスイッチ、ズーム操作スイッチ、モード切り換えスイッチ、電源スイッチ、あるいは、種々の設定を行うための設定スイッチなどの複数の操作スイッチ２４（図３参照）が設けられている。
さらに、ディスプレイ２２の表示面の全域を覆うようにタッチパネル２５が設けられている。
【０００９】
図３に示すように、撮像装置１０には、映像信号用増幅回路２６、映像信号処理回路２８、マイクロフォン３０、マイクロフォン用増幅回路３２、音声信号処理回路３４、スピーカ３６、出力用増幅回路３８、記録再生回路４０、コントロール回路４２、記録再生機構４４、ドライブ回路４６、インターフェース回路４８、通信回路５０、アンテナ５２、メモリカード用スロット５４などが設けられている。
撮像素子１８で生成された撮像信号は映像増幅回路２６で増幅され、映像信号処理回路２８によって所定の信号処理がなされ映像信号として記録再生回路４０に供給される。
マイクロフォン３０で収音された音声信号はマイクロフォン用増幅回路３２で増幅され、音声信号処理回路３４によって所定の信号処理がなされ記録再生回路４０に供給される。
【００１０】
記録再生回路４０は、映像信号処理回路２８から供給された映像信号や音声信号処理回路３４から供給された音声信号をコントロール回路４２の制御にしたがって記録再生機構４４に供給し、記録再生機構４４は映像信号や音声信号を記録媒体としての磁気テープに記録する。
また、記録再生回路４０は、映像信号処理回路２８から供給された映像信号や音声信号処理回路３４から供給された音声信号をインターフェース回路４８を介してメモリスロット５４に装着された記録媒体としてのメモリカード５６に記録する。
また、記録再生回路４０は、映像信号処理回路２８から供給された映像信号をドライブ回路４６を介してディスプレイ２１、２２に供給して画像の表示を行わせる。
また、記録再生回路４０は、インターフェース回路４８を介してメモリカード５６から供給される映像信号をドライブ回路４６を介してディスプレイ２１、２２に供給して画像の表示を行わせるとともに、インターフェース回路４８を介してメモリカード５６から供給される音声信号を出力用増幅回路３８を介してスピーカ３６に供給して音声の出力を行わせる。
また、記録再生回路４０は、記録再生機構４４により磁気テープから再生された映像信号をドライブ回路４６を介してディスプレイ２１、２２に供給して画像の表示を行わせるとともに、記録再生機構４４により磁気テープから再生された音声信号を出力用増幅回路３８を介してスピーカ３６に供給して音声の出力を行わせる。
【００１１】
コントロール回路４２は、操作スイッチ２４の操作に基づいて、記録再生回路４０、記録再生機構４４、通信回路５０の制御を行う。
また、コントロール回路４２は、タッチパネル２５の操作によって決定される制御コマンドを通信回路５０に供給する。この制御コマンドは、撮像装置６０に実行させるべき動作を指令するものである。
通信回路５０は撮像装置６０の通信回路９２と無線信号Ｓによる無線通信を行うものであり、記録再生回路４０から供給される映像信号を無線信号Ｓに変換してアンテナ５２を介して撮像装置６０の通信回路９２に送信するとともに、撮像装置６０の通信回路９２から受信した無線信号Ｓによる映像信号を記録再生回路４０に供給する。
また、通信回路５０は、撮像装置６０の通信回路９２から受信した無線信号Ｓによる制御コマンドをコントロール回路４２に供給するとともに、コントロール回路４２から供給された制御コマンドを無線信号Ｓによって撮像装置６０の通信回路９２に送信する。
したがって、コントロール回路４２は、操作スイッチ２４による操作に基づいて動作するとともに、撮像装置６０から受信した制御コマンドに基づいて動作する。
なお、通信回路５０と通信回路９２の間でなされる無線通信の通信方式は、特に限定されるものではなく、例えば、ブルートゥースや無線ＬＡＮ、あるいは、赤外線通信などを用いることができる。
本実施の形態では、図１に示すように、アンテナ５２はケース１２内部に収容されたチップアンテナで構成されているが、アンテナ５２の種類や構成は使用される無線信号の形態に応じて適宜選択すればよい。
【００１２】
なお、本実施の形態では、撮影光学系１４、撮像素子１８、映像信号用増幅回路２６、映像信号処理回路２８によって特許請求の範囲の撮像手段が構成されている。
また、記録再生回路４０、記録再生機構４４、インターフェース４８によって特許請求の範囲の記録再生手段が構成されている。
また、コントロール回路４２によって特許請求の範囲の制御手段が構成されている。
また、タッチパネル２５、コントロール回路４２によって特許請求の範囲の制御コマンド生成手段が構成されている。
また、タッチパネル２５によって特許請求の範囲の操作手段が構成されている。
【００１３】
次に、撮像装置６０について説明する。
図１、図２に示すように、撮像装置６０は外装を構成するケース６２を有し、ケース６２の前面上部には、撮影光学系６４が組み込まれた鏡筒６６が前方に臨んで設けられている。
ケース６２の内部には、撮影光学系６４によって導かれた被写体像を撮像する撮像素子６８（図３参照）などが収容されている。
ケース６２の上面にはレリーズスイッチ７０、電源スイッチ７２が設けられている。
図２に示すように、ケース６２の背面には撮像素子６８によって撮像された被写体像などを表示するための例えば液晶表示装置からなるディスプレイ７４が設けられている。
また、ケース６２の背面には、ズーム操作スイッチ、モード切り換えスイッチ、あるいは、種々の設定を行うための設定スイッチなどの複数の操作スイッチ７６が設けられている。
さらに、ディスプレイ７４の表示面の全域を覆うようにタッチパネル７８が設けられている。
【００１４】
図３に示すように、撮像装置６０には、映像信号用増幅回路８０、映像信号処理回路８２、記録再生回路８４、コントロール回路８６、ドライブ回路８８、インターフェース回路９０、通信回路９２、アンテナ９４、メモリカード用スロット９６などが設けられている。
撮像素子６８で生成された撮像信号は映像増幅回路８０で増幅され、映像信号処理回路８２によって所定の信号処理がなされ映像信号として記録再生回路８４に供給される。
【００１５】
記録再生回路８４は、映像信号処理回路８２から供給された映像信号をコントロール回路８６の制御にしたがってインターフェース回路９０を介してメモリスロット９６に装着された記録媒体としてのメモリカード９８に記録する。
また、記録再生回路８４は、映像信号処理回路８２から供給された映像信号をドライブ回路８８を介してディスプレイ７４に供給して画像の表示を行わせる。
また、記録再生回路８４は、インターフェース回路９０を介してメモリカード５６から供給される映像信号をドライブ回路４６を介してディスプレイ７４に供給して画像の表示を行わせる。
【００１６】
コントロール回路８６は、操作スイッチ７６の操作に基づいて、記録再生回路８４、通信回路９２の制御を行う。
また、コントロール回路８６は、タッチパネル７８の操作によって決定される制御コマンドを通信回路９２に供給する。この制御コマンドは、撮像装置１０に実行させるべき動作を指令するものである。
通信回路９２は撮像装置１０の通信回路５０と無線信号Ｓによる無線通信を行うものであり、記録再生回路８４から供給される映像信号を無線信号Ｓに変換してアンテナ９４を介して撮像装置１０の通信回路５０に送信するとともに、撮像装置１０の通信回路５０から受信した無線信号Ｓによる映像信号を記録再生回路８４に供給する。
また、通信回路９２は、撮像装置１０の通信回路５０から受信した無線信号Ｓによる制御コマンドをコントロール回路８６に供給するとともに、コントロール回路８６から供給された制御コマンドを無線信号Ｓによって撮像装置１０の通信回路５０に送信する。
したがって、コントロール回路８６は、操作スイッチ７６による操作に基づいて動作するとともに、撮像装置１０から受信した制御コマンドに基づいて動作する。
本実施の形態では、図１に示すように、アンテナ９４はケース６２内部に収容されたチップアンテナで構成されているが、アンテナ９４の種類や構成は使用される無線信号の形態に応じて適宜選択すればよい。
【００１７】
なお、本実施の形態では、撮影光学系６４、撮像素子６８、映像信号用増幅回路８０、映像信号処理回路８２によって特許請求の範囲の撮像手段が構成されている。
また、記録再生回路８４、インターフェース９０によって特許請求の範囲の記録再生手段が構成されている。
また、コントロール回路８６によって特許請求の範囲の制御手段が構成されている。
また、タッチパネル７８、コントロール回路８６によって特許請求の範囲の制御コマンド生成手段が構成されている。
また、タッチパネル７８によって特許請求の範囲の操作手段が構成されている。
【００１８】
次に本実施の形態の撮像装置１０、６０の動作例について説明する。
図４、図５は撮像装置５０のディスプレイの表示内容を示す説明図である。
本例では、結婚式の披露宴で撮影を行う場合について説明する。
予め、撮像装置１０は新郎新婦の近くの場所において不図示の三脚などで支持され、撮影光学系１４を新郎新婦に向けた状態とされている。
一方、撮影者は、撮像装置１０の設置場所から離れた場所にいて、撮像装置６０を手で保持し、撮影光学系６４をスピーチを行っている来賓者に向けている。
この状態で、撮像装置１０から撮像装置６０に無線信号Ｓによって映像信号が送信されており、図４に示すように、撮像装置６０のディスプレイ７４の表示画面には、撮像装置１０で撮像されている画像１０Ａ（第２の画像に相当）と、撮像装置６０が撮像している画像６０Ａ（第１の画像に相当）の双方が同時に表示されている。
そして、一方の画像１０Ａが他方の画像６０Ａよりも大きな面積で表示されている。
【００１９】
また、ディスプレイ７４の表示画面において、画像１０Ａ、６０Ａを除く部分には、タッチパネル７８操作用のアイコン１００が表示されており、アイコン１００は、撮像装置１０による撮影動作のスタートを指令するためのスタートボタン１０２と、その撮影動作のストップを指令するためのストップボタン１０４とで構成されている。
したがって、スタートボタン１０２の部分（タッチパネル７８）を指で触れると、コントロール回路８６は撮影動作のスタートを指令する制御コマンドを通信回路９２に与える。これにより制御コマンドが無線信号Ｓによって撮像装置１０の通信回路５０に受信されるため、通信回路５０から制御コマンドを受けたコントロール回路４２は記録再生機構４４の記録動作を開始させる。
一方、ストップボタン１０４の部分（タッチパネル７８）を指で触れると、コントロール回路８６は撮影動作のストップを指令する制御コマンドを通信回路９２に与える。これにより制御コマンドが無線信号Ｓによって撮像装置１０の通信回路５０に受信されるため、通信回路５０から制御コマンドを受けたコントロール回路４２は記録再生機構４４の記録動作を停止させる。
したがって、図４に示されている状態では、撮影者は、手に保持している撮像装置６０のディスプレイ７４に大きく表示されている画像１０Ａを視認しつつ、タッチパネル７８のスタートボタン１０２とストップボタン１０４を操作することで撮像装置１０の撮影動作を遠隔制御することができる。
【００２０】
また、撮影者は、撮像装置６０によって撮影を行う場合には、タッチパネル７８のうち、撮像装置６０で撮像している画像６０Ａが表示されている部分に指で触れると、コントロール回路８６は画像１０Ａと、画像６０Ａの表示面積の設定を入れ替える制御コマンドを記録再生回路８４に与える。これにより、記録再生回路８４は、図５に示すように、ディスプレイ７４に表示される画像１０Ａの表示面積を縮小するとともに、画像６０Ａの表示面積を拡大させる。
したがって、図５に示されている状態では、撮影者は、手に保持している撮像装置６０のディスプレイ７４に大きく表示されている画像６０Ａを視認しつつ、レリーズスイッチ７０を操作することで撮像装置６０による撮影動作を行うことができる。
【００２１】
以上、撮像装置６０から撮像装置１０を遠隔制御する場合について説明したが、撮像装置１０から撮像装置６０を遠隔制御するようにしてもよいことは無論である。
その場合には、撮像装置１０の撮像装置６０の通信回路９２から撮像装置１０の通信回路５０に映像信号を送信し、撮像装置１０の通信回路５０から撮像装置６０の通信回路９２に制御コマンドを送信すればよい。
具体的には、撮像装置１０のディスプレイ２２にレリーズボタンのアイコンを表示させ、レリーズボタンのアイコンの部分（タッチパネル２５）を指で触れると、コントロール回路４２はレリーズ動作を指令する制御コマンドを通信回路５０に与える。これにより制御コマンドが無線信号Ｓによって撮像装置６０の通信回路９２に受信されるため、通信回路９２から制御コマンドを受けたコントロール回路８６は記録再生回路８４による映像信号のメモリカード９８への記録動作を開始させる。
したがって、撮影者は、手に保持している撮像装置１０のディスプレイ２２に画像１０Ａよりも大きく表示されている画像６０Ａを視認しつつ、タッチパネル２５のレリーズボタンを操作することで撮像装置１０の撮影動作を遠隔制御することができる。
また、撮像装置１０で撮影を行う場合には、撮像装置１０のディスプレイ２２に画像１０Ａを画像６０Ａよりも大きく表示させた状態で、操作スイッチ２４の撮影スタートストップスイッチなどを操作することで撮像装置１０による撮影を行うことができる。
なお、撮像装置１０のディスプレイ２２に表示される画像１０Ａと画像６０Ａの表示面積を拡大、縮小させる構成と手順は撮像装置６０の場合と同様である。
【００２２】
本実施の形態によれば、図４に示すように、２つの撮像装置のうち一方の撮像装置のディスプレイによって２つの撮像装置で撮像している画像の双方を視認することができるので、撮影者は、他方の撮像装置の遠隔制御を行いつつ、撮影チャンスを逃すことなく一方の撮像装置による撮影をも行うことができ、互いに離れた箇所に設置された２台の撮像装置を有効に活用することができ、利便性を向上させる上で有利となる。
【００２３】
（第２の実施の形態）
次に第２の実施の形態について説明する。
図６は第２の実施の形態における撮像装置１０、６０の斜視図、図７は撮像装置６０を後方から見た斜視図であり、第１の実施の形態と同様の部分および部材には同一の符号を付して説明する。
第２の実施の形態が第１の実施の形態と異なるのは、２台の撮像装置１０、６０が連結機構を介して互いに着脱可能に構成されている点であり、その他の点は第１の実施の形態と同様である。
図６、図７に示すように、撮像装置１０のケース１２の前部右側には、ケース１２を撮影光学系１４の光軸が鉛直線と直交するような姿勢とした際に、鉛直軸線回りに揺動可能な連結部材１２０２が設けられている。
また、ケース１２の右側面には撮像装置６０を収容可能な収容凹部１２０４が形成されている。
撮像装置６０のケース６２の左側部には、連結部材１２０２が装脱可能な連結凹部６２０２が設けられている。
したがって、連結部材１２０２と連結凹部６２０２によって連結機構が構成されている。このような連結機構として従来公知の様々な構造が採用可能である。
連結部材１２０２を連結凹部６２０２に挿入して結合させた状態で撮像装置６０は鉛直軸線回りに揺動可能となる。
また、その状態で、撮像装置６０をケース１２の収容凹部１２０４方向に揺動させることで、撮像装置６０は収容凹部１２０４に収容される。
【００２４】
第２の実施の形態によれば、撮像装置１０と撮像装置６０を切り離して使用することにより、第１の実施の形態と同様の効果を奏することができることは無論のこと、撮像装置１０に撮像装置６０を連結して使用できるため、撮像装置１０と撮像装置６０を同一の被写体に向けることで、２つの撮像装置１０、６０の双方で撮影を行うことができ、２つの撮像装置１０、６０を有効に活用することができ、利便性を向上させる上で有利となる。
【００２５】
なお、実施の形態では、２台の撮像装置１０、６０の一方をビデオカメラ、他方をデジタルスチルカメラとした場合について説明したが、２つの撮像装置の双方がビデオカメラ、あるいは、双方がデジタルスチルカメラであっても本発明は適用可能であることは無論である。
また、撮像装置はビデオカメラとデジタルスチルカメラに限定されるものではなく、カメラが組み込まれた電子手帳（ＰＤＡ（Ｐｅｒｓｏｎａｌ  Ｄｉｇｉｔａｌ  Ａｓｓｉｓｔａｎｔｓ））、携帯電話機などその他種々の撮像装置に適用可能である。
【００２６】
また、実施の形態では、通信手段が無線信号を用いて通信を行う場合について説明したが、２つの通信手段が接続ケーブルを介して電気的に接続され、接続ケーブルを介して映像信号や制御コマンドを通信するものであってもよい。
例えば、第２の実施の形態において、連結機構を構成する連結部材１２０２と連結凹部６２０２とのそれぞれにコネクタを設けるとともに、連結部材１２０２と連結凹部６２０２が結合した際に互いのコネクタが接続されるように構成し、連結部材１２０２と連結凹部６２０２が結合した際に、撮像装置１０、６０の通信手段がコネクタを介して電気的に接続され映像信号や制御コマンドが通信されるようにしてもよい。
【００２７】
また、実施の形態では、制御コマンドが撮影開始、撮影停止、あるいは、レリーズ動作を指令するものである場合について説明したが、制御コマンドはこれらに限定されるものではなく、撮像装置で実行可能なものであればよいことは無論である。
例えば、撮影光学系がズーム可能に構成され、撮影光学系のズーム動作を行うズーム駆動機構が設けられている場合には、コントロール回路４２、８６によってズーム駆動機構を制御できるように構成すれば、テレ側へのズーム、あるいは、ワイド側へのズームを指令する制御コマンドを送信することでズーム動作を遠隔制御させることができる。
また、実施の形態では、コントロール回路４２（制御手段）が画像６０Ａ（第１の画像）と画像１０Ａ（第２の画像）をディスプレイ７４に同時に表示させるとともに、画像１０Ａ（第２の画像）を画像６０Ａ（第１の画像）よりも大きい表示面積で表示させる場合について説明したが、画像６０Ａ（第１の画像）と画像１０Ａ（第２の画像）を同じ大きさでディスプレイ７４に同時に表示させるようにしてもよい。
また、画像６０Ａ（第１の画像）と画像１０Ａ（第２の画像）の何れか一方を選択的にディスプレイ７４に表示させるようにしてもよい。
また、実施の形態では、タッチパネル７８を用いて制御コマンドの生成を行ったが、撮像装置に設けられている操作スイッチを用いて制御コマンドの生成を行うようにしてもよいことは無論である。
また、実施の形態では、撮像装置同士で通信を行う場合について説明したが、撮像装置と他の電子機器、例えば、プリンター、ＤＶＤレコーダー、ハードディスクレコーダー、パーソナルコンピュータなどとの間で同様の通信を行うようにしてもよいことは無論である。
【図面の簡単な説明】
【００２８】
【図１】第１の実施の形態の撮像装置１０、６０の構成を示す斜視図である。
【図２】撮像装置５０を後方から見た斜視図である。
【図３】撮像装置１０、６０の構成を示すブロック図である。
【図４】撮像装置５０のディスプレイの表示内容を示す説明図である。
【図５】撮像装置５０のディスプレイの表示内容を示す説明図である。
【図６】第２の実施の形態における撮像装置１０、６０の斜視図である。
【図７】撮像装置６０を後方から見た斜視図である。
【符号の説明】
【００２９】
１０……撮像装置、１４撮影光学系、１８……撮像素子、２２……ディスプレイ、２５……タッチパネル、２８……映像信号処理回路、４０……記録再生回路、４２……コントロール回路、５０……通信回路、５２……アンテナ。
【図１】
2007081537.tif 000003
【図２】
2007081537.tif 000004
【図３】
2007081537.tif 000005
【図４】
2007081537.tif 000006
【図５】
2007081537.tif 000007
【図６】
2007081537.tif 000008
【図７】
2007081537.tif 000009